(57)【要約】【構成】保持具（１５）、一体成形ノブ（１３）に組み付けた貫通ピン（２４）、ゴムスリーブ（１７）および端部キャップ（１９）を有する自己完結型ファスナー（１１）である。この保持具（１５）は、半径方向に設けた、上向き面をもつカムランプ（２６）を有し、このランプが、ピン（２４）に固定したノブ（１３）上の同様なカムランプ（２９）に係合する。２枚のパネル（１２、１４）を接合するために、好ましくはクリンチ式取り付け手段（１６）によって第１パネルに保持具基部を固定する。このさい、中心クランプピンを保持具および取り付けるべき２枚のパネルを介して第２パネルの反対側まで貫通させる。ゴムスリーブ（１７）をピン（２４）の端部に滑り嵌めし、端部キャップ（１９）によって軸方向に保持する。ピンを回すと、ピンランプと保持具ランプとの間にカム作用が働き、保持具から上向き軸方向にピンを引き上げ、ゴムスリーブを圧縮する。この圧縮により、ゴムスリーブが第２パネルの後ろ側に膨出する。【選択図】図６
2004532378.tif 000002
【特許請求の範囲】
【請求項１】
孔を整合して形成した２枚のパネルを接合する締め付け式ファスナーにおいて、
軸方向ボアを形成した保持具と、
この保持具を第１パネルに取り付ける、上記保持具の基部に設けた取り付け手段と、
上記ボアに対して同心円状に設け、かつ上記保持具の上面にそって設けた、上記保持具と一体成形した上向き面をもつカム手段と、
頭部と軸部を有し、この軸部が上記ボアを軸方向に貫通し、かつ上記保持具の基部から突出するピンであって、締め付け位置と開放位置との間で上記保持具内で回動可能なピンと、
上記カム手段と係合する上記ピンの上記頭部に取り付けた、下向き面をもつ作用力受け取り手段であって、上記ピンを回動することによって、上記保持具に対して軸方向に上記軸部を移動する作用力受け取り手段と、
上記保持具の基部から突出する上記軸部の部分の周囲に嵌合させた弾性スリーブであって、第１端部を上記基部と当接させた弾性スリーブと、そして
末端に隣接して上記ピンに固着した端部キャップであって、上記ピンを上記締め付け位置まで回動した場合に、上記スリーブが圧縮され、上記スリーブの側部が外側に膨出するように上記スリーブの第２端部に当接させた端部キャップとを有することを特徴とする締め付け式ファスナー。
【請求項２】
上記カム手段が螺旋形カム面を有する請求項１記載のファスナー。
【請求項３】
上記カム手段が上記螺旋形カム面において少なくとも一つの半径方向溝を有し、かつ上記作用力受け取り手段に軸方向に突出する戻り止めを形成し、これによって、上記戻り止めが溝に嵌合したときに上記ピンを回転安定な位置に保持する請求項１記載のファスナー。
【請求項４】
上記作用力受け取り手段がさらに、上記の第１カム螺旋面と係合関係にある第２螺旋面を有する請求項２記載のファスナー。
【請求項５】
上記弾性スリーブをゴムで構成した請求項１記載のファスナー。
【請求項６】
上記端部キャップを上記ピンに固着した請求項１記載のファスナー。
【請求項７】
上記パネル取り付け手段がクリンチ式取り付け手段である請求項１記載のファスナー。
【請求項８】
上記ピンの頭部がさらに工具係合面を有する請求項１記載のファスナー。
【請求項９】
さらに、プラスチックで構成され、かつ上記ピンの頭部に固定されたノブを有する請求項１記載のファスナー。
【請求項１０】
上記ノブ下側の円筒形キャビティの端壁にそって上記作用力受け取り手段を設けた請求項９記載のファスナー。
【請求項１１】
上記保持具が、上記ノブ下側の上記キャビティ内に密接嵌合する上記カム面に隣接して上向き円筒形壁を有する請求項１０記載のファスナー。
【請求項１２】
上記作用力受け取り手段が、上記ピンの過剰回動を防ぐために、上記上向き面をもつカム手段に係合する、上記戻り止め側に回動防止手段を有する２段カムランプである請求項３記載のファスナー。
【請求項１３】
請求項１のファスナーを有するパネル体において、
上記取り付け手段によって上記保持具に固定した第１パネルと、
直径が上記弾性スリーブより大きい、第１パネルの第１円形開口と、そして
第１パネルの後ろ側に面対面関係で当接する第２パネルであって、上記スリーブが貫通する第２円形孔を有し、この第２円形孔が上記の第１孔と実質的に同じ大きさで、第１パネルの第１円形開口と整合した第２パネルとを有し、上記ノブおよび上記ピンを上記締め付け位置まで回動したときに、上記スリーブの外面が上記第２パネルの後ろ側に締め付け力を加えるように上記端部キャップによって上記弾性スリーブが圧縮されることを特徴とするパネル体。
【発明の詳細な説明】
【技術分野】
【０００１】
本願は、優先権主張日である２００１年５月３０日に出願され、“クイックターン式パネルファスナー”を発明の名称とする仮特許出願第６０/２９４，０１３号に関する。
本発明は、２枚のパネルまたは厚板を手早く取り付けることができ、あるいは手早く取り外すことができるファスナーに関する。特に、本発明は、中心ピンを３６０°未満の角度で回すことによって生じるゴムスリーブの軸方向圧縮、次の径方向の膨張によって締め付け荷重を発生するファスナーに関する。
【背景技術】
【０００２】
以前より、有効なクイックターン式（回転角度：３６０°未満）パネルファスナーが求められている。クイックターン式パネルファスナーは、２枚のパネルの手早くかつ簡単に面対面関係で固着でき、かつこれらを取り外すことを可能にするファスナー装置である。締め付け荷重が望ましく、使用されていることが多い。このような一般的な目的を実現するために各種のファスナーが設計提案されているが、いずれもコスト、用途範囲や締め付け荷重の利用に関して特有な問題がある。また、第２部品を支持パネルに設ける必要や、使用時に各部品を組み立てる必要がある。
【０００３】
例えば、Ｓｏｕｔｈｃｏ社製の、ゴムスリーブ、２つのカムおよびスタッドを利用した“摩擦ターン式ファスナー”があるが、このファスナーには、使用時にその場でエンドユーザーが第１パネルの周囲に組み付けなければならない大きな問題がある。例えば、このファスナーの場合、２組に分かれ、パネルの取り付け時に、一方の組を取り付けパネルの一方に使用するようになっている。一方、Ｐａｎｅｌｏｃ社製の耐振性再使用式ＢＩ−ＦＩＸＴＭクォーターターン式ファスナーの場合、用途が異なる場合に異なる部品を使用できるように５つの部品を必要とする。また、このファスナーでは、両パネルに形が不規則な孔をあける必要があるが、これら孔は手早く穿孔できず、またパンチできるのは、一連のヒットや異なるパンチまたは専用のパンチを使用した場合だけである。また、ＤＺＵＳファスナーは、第１パネルに取り付けられるスタッドおよびグロメット、そして第２パネルに取り付けられるリベットをもつバネを備えている。このように、いくつかのタイプのファスナーが利用されているが、いずれも非組み立て部品を備えている。
【発明の開示】
【発明が解決しようとする課題】
【０００４】
以上説明したように、従来技術における問題の一部を解決する各種のクイックターン式またはクォーターターン式ファスナーが利用できるが、いずれも依然としてかなり欠点がある。このように、多数の部品を組み立てる必要がなく、また複雑な工程でパネルを製造する必要のない、２枚のパネルを手早くかつ容易に接合できる有効なクイックターン式ファスナーの需要は依然として満たされていない。
【課題を解決するための手段】
【０００５】
以上説明した従来技術の問題を解決するために、本発明は、トップ側保持具、一体成形したノブをもつ貫通ピン、ゴムスリーブおよび端部キャップを有する組み立て式ファスナーを提供するものである。この保持具は、半径方向に設けた、上向き面をもつカムランプを有し、このランプが、ピンに固定した同様なカムランプに係合する。保持具の基部は、好ましくは第一パネルにクランチ式取付け具によって固定される。中心クランプピンを保持具および取り付けるべき２枚のパネルの、整合穿孔した円形孔を介して第２パネルの反対側まで貫通させる。締め付けピン周囲にゴムスリーブを滑り嵌めし、ピン端部に取り付けた端部キャップによってこれを軸方向に保持する。手または工具によって、ピンを回すと、ピンランプと保持具ランプとの間にカム作用が働き、保持具から上向き軸方向にピンを引き出し、ゴムスリーブを端部キャップと保持具の基部との間で圧縮する。この圧縮により、ゴムスリーブが外側に膨出し、これによってその外面が第２パネルの裏側に締め付け荷重を加える。このため、２枚のパネルが、ゴムスリーブの膨張領域と保持具の基部との間で締め付けられることになる。
【０００６】
さらに具体的に説明すると、本発明は、２枚のパネルまたは整合開口をもつパネルを固着する締め付け式ファスナーを提供するものである。このファスナーの場合、保持具が軸方向ボアと、この基部に保持具を第１パネルに強く締め付ける取り付け手段とを有する。また、保持具は、さらに上向き表面をもつ一体的カム手段を有する。ボアと同軸であるカム手段を、保持具の基部から上向きに配設した円筒状壁の上面にそって設ける。頭部および軸部をもつピンをボアに貫通し、保持具の基部から突出させる。このピンは、開放位置と締め付け位置との間で保持具内において回動できる。下向き表面をもつ、作用力を受け取る手段をピンに設け、保持具のカム手段にこれを係合し、これによってピンを回すと、軸部が保持具に対して軸方向に移動する。保持具の基部から突出するピン軸部分の周りに円筒形の弾性スリーブを緩く嵌める。弾性スリーブの一端を保持具基部に当接させ、ピンの末端に固着した端部キャップによって軸方向にスリーブの他端を保持する。このため、ピンを締め付け位置まで回すと、スリーブが保持具の基部に対して圧縮され、外側に膨出する。さらに、カム手段について説明すると、このカム手段は複数の半径方向溝を有し、これら溝が作用力を受ける手段の戻り止め突起に係合し、戻り止めが溝の一つに嵌合した場合に、一連の安定な割り出し位置を設定する。カム手段および作用力受け取り手段は、好ましくは同じ螺旋カム面をもつ。また好ましくは、ピンに、ローブをもつノブを一体成形し、ピンの手による回動を容易にする。この作用力受け取り手段は、ノブの下側において円筒形キャビティの端壁にそって設ける。保持具を取り付けた第１パネルを第２パネルに締め付けるさいには、弾性スリーブを第２パネルの孔に挿入し、ノブを一体成形したピンを締め付け位置まで回し、第２パネルの裏側に作用する膨出弾性スリーブの力によって第２パネルを第1パネルに押し付ける。
【０００７】
本発明の目的は、締め付け荷重を発生し、各種のパネル厚をもつ２枚のパネルを接合するために使用することができるクイックターン式ファスナーを提供することである。本発明の別な目的は、予め完全に組み立てた状態にあるクイックターン式ファスナーを提供することである。本発明のさらに別な目的は、標準的な丸孔をもつパネルに使用することができる低価格のクイックターン式ファスナーを提供することである。本発明のさらに別な目的は、パネルの一方の側からのみ接合作業ができる、耐振性クイックターン式ファスナーを提供することである。本発明のこれら以外の目的および作用効果については、添付図面および好適な実施態様の説明から、当業者ならば理解できるはずである。
【発明を実施するための最良の形態】
【０００８】
まず図１について説明する。図示の本発明ファスナー１１は、表裏のシート、即ち２枚のパネル１２および１４を接合するものである。このファスナーは、保持具１５をクリンチ取り付け手段１６によって表面パネルに固着する。裏面側パネル１４の反対側から弾性スリーブ１７および端部キャップ１９を突出させる。ノブ１３には、ファスナーを締め付け位置と開放位置との間で回すために手で握りやすくするためのローブおよび工具係合スロットを形成する。
【０００９】
次に、図２について説明すると、この図は、図１に示した構成の展開図である。保持具１５を軸方向に貫通する中心ピン２４に、好ましくは一体成形によって、ノブ１３を組み付ける。保持具１５は、円筒形のカムランプ２６を有し、このランプ２６は、一連の半径方向溝２２を離間して設けたその上面にそって螺旋形カム面２９を有する。以下に詳しく説明するように、溝２２は、ノブを異なる回転位置に保持する割り出し機構を構成する。図５および図６に示すように、保持具の基部には、ピン２４を密接した状態で、滑り自在かつ回転自在に受け取るボアを形成する。さらに、保持具は、組み立て時に表面側パネル１２に当接するフランジ２７を有する。フランジ下部で保持具に設けたクリンチ手段１６によって、保持具を表面側パネルに永久的に取り付ける。ピン２４周囲に滑り嵌めしたゴムスリーブ１７を、保持具１５の基部に滑り嵌め状態でスリーブを保持する端部キャップ１９によって軸方向に保持する。このファスナーの場合に必要なのは、表裏のパネルにパンチかその他の手段で整合穿孔した孔３０だけである。
【００１０】
ファスナーの使用時には、先ず、保持具１５を表面側パネルの上部にクリンチにより取り付け、これを表面側パネル１２に取り付ける。次に、第２パネルの孔に弾性スリーブを有するファスナーの端部を挿入することによって裏面側パネル１４を第１パネルに取り付ける。これらパネルを所定場所に保持した状態で、次に、ノブ１３を締め付け位置まで回し、弾性スリーブ１７を圧縮し、裏面側パネルの後ろ側に対して外側にこれを膨出させる。この結果、図６に明示されるように、２枚のパネルが締め付けられることになる。
【００１１】
次に図３および図４について説明すると、これら図は、ノブ/ピン構成を詳細に示す図である。図３に示すように、ノブ１３は、外側の、下向き面をもつ円筒形壁３８と内側のスリーブ３９とを有し、これらの間に、環状端壁にそって螺旋形カムランプ２９を設けた円筒形キャビティを形成する。この端壁は下向きの戻り止め２５を有し、戻り止め２５が保持具のカムランプに対して作用力を受け取る手段を構成し、ノブの回動時にピンを保持具から上向きに引き上げることになる。図５および図６により詳細に示すように、このキャビティが保持具の円筒形カムランプを密接状態で受け取る。図示のように、カムランプは、２段構成で、保持具の同様な面と密接に係合し、部品が密接回動できるような構成を与えるものである。カムランプの外側段は、ノブの過剰回転を防止する、戻り止め２５側の回転防止部２８を有する。次に図４について説明すると、中心ピン２４と、端壁３８とスリーブ３９との間のノブキャビティにそって存在する２段カムランプ３４との関係を示すノブ/ピン構成の底面図である。ノブローブ１０の形状も図示されている。
【００１２】
次に図５および図６について説明する。これら図には、それぞれ開放位置と締め付け位置にあるファスナーが示されている。図５について説明すると、保持具カムランプ２６と密接係合しているノブ１３が示されている。この位置では、カムランプはほぼその全面にわたって完全に係合しているため、大きな力がノブ/ピン構成に加わり、保持具１５を表面側パネル１２にクリンチ作用により取り付ける。弾性スリーブ１７が裏面側パネル１４の後ろ側から突出し、保持具１５の基部と端部キャップ１９との間に滑り嵌めする。ピンの端部に隣接する溝によって端部キャップをピン２４に軸方向に固定する。ノブは、プラスチックで構成し、ピンの頭部に一体成形によって永久的に取り付けるのが好ましい。
【００１３】
これら部品（同じ符号で示す）については図６にも示す。なお、図６の場合、ノブ/ピン構成１３は保持具に対して反時計方向に回動する。保持具の螺旋形カムランプに対してノブの戻り止め間にカム作用が働くことによって、ノブが開放位置から締め付け位置に回動すると、ノブ/ピン構成が上向きに引き上げられる。従って、ピンの端部キャップが上向きに押し上げられ、保持具１５の基部に弾性スリーブ１７を押し付け、スリーブが外側に膨出する。この結果、変形したスリーブが、裏面側パネルにおける孔の周囲３９で裏面側パネルの後ろ側を押圧する。図２により詳しく図示するように、保持具のカムランプは、ノブの戻り止めを受け取り、ノブの異なる回転点で安定な割り出し位置を設定する一連の半径方向溝を有する。これによって、異なる程度の締め付け力が発生する。というのは、ノブの回動量およびピンの引き上げ量に応じて弾性スリーブの膨出量が変化するからである。
【００１４】
（発明の効果）
以上説明したように、本発明の目的を実現することができる。また、本発明ファスナーは、使用が簡単な、予め組み立てておいたユニットである。さらに、本発明ファスナーは、パネルに永久的に取り付けることができるため、部品間に弛みが発生することはない。また、本発明ファスナーは、２つの形成が容易な孔があれば適用でき、これら孔は標準的な工具で手早くパンチまたは穿孔できるため、専用の特別な工具は必要ない。使用時、ゴムは圧縮状態にあるため、本発明ファスナーは常に締め付け荷重を発生するものである。さらに、締め付け荷重の量は、連続的な安定割り付け点までのピンの回動量によって調節できる。加えて、各種のパネル厚に応じて締め付け荷重を発生でき、価格が低く、一方の側からのみ取り付けることができ、また耐振性であるなどの作用効果もある。
【００１５】
なお、当業者にとっては自明なように、本発明は、上記以外の実施態様でも実施可能であり、即ち、本発明は、特許請求の範囲およびその法律上の等価体にのみ制限されるものである。
【図面の簡単な説明】
【００１６】
【図１】２枚のパネル間に装着し、開放位置にある状態の本発明ファスナーの一部断面を含む、上部右側からみた投影図である。
【図２】図１と同じ要素を示す、上部右側からみた展開図である。
【図３】ノブ/ピン構成の一部を切り欠いた、底部右側からみた展開図である。
【図４】ノブ/ピン構成の底部横断面図である。
【図５】ファスナーが開放位置にある状態を示す、図１に示した組み立て部材の断面図である。
【図６】矢印方向にピン構成を回動し、ファスナーを締め付け位置に設定した状態の、図５に示す構成を示す図である。
【符号の説明】
【００１７】
１０：ノブローブ
１１：ファスナー
１２、１４：パネル
１３：ノブ
１５：保持具
１６：クリンチ取り付け手段
１７：弾性スリーブ
１９：端部キャップ
２２：溝
２４：中心ピン
２５：戻り止め
２６：カムランプ
２９：カムランプ
３０：孔
３４：カムランプ
３８：壁
３９：スリーブ
【国際公開パンフレット】
2004532378.tif 000003
2004532378.tif 000004
2004532378.tif 000005
2004532378.tif 000006
2004532378.tif 000007
2004532378.tif 000008
2004532378.tif 000009
2004532378.tif 000010
2004532378.tif 000011
2004532378.tif 000012
2004532378.tif 000013
2004532378.tif 000014
2004532378.tif 000015
2004532378.tif 000016
2004532378.tif 000017
2004532378.tif 000018
2004532378.tif 000019
【国際調査報告】
2004532378.tif 000020